(57)【要約】【課題】筐体内の回路基板やコネクタ差し込み部が被水するのを効果的に抑える。【解決手段】回路ユニット１が、回路基板を取り囲む外周壁１０ａと、外周壁１０ａの開口端を塞ぐように外周壁１０ａに接合された側壁１０ｂと、を有する筐体１０と、筐体１０内の回路基板がなす回路に接続されるコネクタを差し込むために筐体１０から突出して設けられた取付部材２２と、筐体１０及びコネクタ差し込み部２０を覆うカバー３０と、を備え、カバー３０は、筐体１０における外周壁１０ａと側壁１０ｂとの接合部分１０ｄ及び取付部材２２がカバー３０の下に潜り込んだ状態で筐体１０及び取付部材２２を上方から覆う。【選択図】図１０
2019087380.tif 000002
【特許請求の範囲】
【請求項１】
回路基板を取り囲む外周壁と、該外周壁の開口端を塞ぐように前記外周壁に接合された側壁と、を有する筐体と、
該筐体内の前記回路基板がなす回路に接続されるコネクタを差し込むために前記筐体から突出して設けられたコネクタ差し込み部と、
前記筐体及び前記コネクタ差し込み部を覆うカバーと、を備え、
該カバーは、前記筐体における前記外周壁と前記側壁との接合部分及び前記コネクタ差し込み部が前記カバーの下に潜り込んだ状態で前記筐体及び前記コネクタ差し込み部を上方から覆うことを特徴とする回路ユニット。
【請求項２】
前記カバーは、前記側壁の脇に位置して前記側壁と対向する側壁対向部を有し、該側壁対向部と前記側壁とが互いに離れた状態で前記筐体を覆うことを特徴とする請求項１に記載の回路ユニット。
【請求項３】
前記筐体は、前記側壁とは反対側に位置する固定壁を有し、該固定壁に取り付けられた取付部材を介して車体に取り付けられており、
前記カバーは、前記筐体及び前記コネクタ差し込み部を覆った状態で前記取付部材に支持されていることを特徴とする請求項１又は２に記載の回路ユニット。
【請求項４】
前記取付部材は、前記固定壁に対して交差する方向に突出して設けられた突出部を有し、
前記筐体は、前記突出部が車体に締結されることで車体に取り付けられ、
前記カバーは、前記突出部に向かって延出した延出部を有し、該延出部が前記突出部に係合することで前記突出部に支持されていることを特徴とする請求項３に記載の回路ユニット。
【請求項５】
前記延出部の先端部分には切り欠きが形成されており、
前記カバーは、前記突出部が前記切り欠き内に入り込んで前記延出部が前記突出部に係合することで前記突出部に支持されていることを特徴とする請求項４に記載の回路ユニット。
【請求項６】
前記カバーのうち、前記コネクタ差し込み部を覆う部分は、前記コネクタ差し込み部の上端よりも上方に位置し、かつ、前記コネクタ差し込み部の突出方向に沿って前記コネクタ差し込み部の先端位置を越えるように延びていることを特徴とする請求項１乃至５のいずれか一項に記載の回路ユニット。
【請求項７】
前記カバーが前記筐体を覆った状態では、前記筐体の横幅方向において、前記筐体の両端が前記カバーの両端の間に配置されていることを特徴とする請求項１乃至６のいずれか一項に記載の回路ユニット。
【請求項８】
回路基板を取り囲む外周壁と、該外周壁の開口端を塞ぐように前記外周壁に接合された側壁と、を有する筐体、及び、該筐体内の前記回路基板がなす回路に接続されるコネクタを差し込むために前記筐体から突出して設けられたコネクタ差し込み部とともに回路ユニットを構成するカバーであって、
前記筐体における前記外周壁と前記側壁との接合部分及び前記コネクタ差し込み部が前記カバーの下に潜り込んだ状態で前記筐体及び前記コネクタ差し込み部を上方から覆うことを特徴とするカバー。
【発明の詳細な説明】
【技術分野】
【０００１】
本発明は、回路ユニット及び回路ユニットを構成するカバーに係り、特に、回路基板を収容する筐体と、筐体の外周壁から突出したコネクタ差し込み部と、を備えた回路ユニット、及び、当該回路ユニットを構成するカバーに関する。
【背景技術】
【０００２】
回路基板が被水しないように構成された回路ユニットは、既に開発されている（例えば、特許文献１参照）。特許文献１に記載の回路ユニット（具体的には「車載電池ユニット」）は、回路基板がなす回路に接続された端子を覆うように構成されている。
【０００３】
また、回路基板を収容する筐体を備えた回路ユニットも既に知られている。筐体は、例えば、回路基板を取り囲む外周壁の開口端に側壁を接合して構成される。また、筐体内の回路基板がなす回路に接続されるコネクタを差し込むためのコネクタ差し込み部が、筐体から突出して設けられることがある。
【先行技術文献】
【特許文献】
【０００４】
【特許文献１】特開２０１４−３２８９６号公報
【発明の概要】
【発明が解決しようとする課題】
【０００５】
ところで、上記の筐体やコネクタ差し込み部が設けられた回路ユニットでは、筐体における隙間（具体的には外周壁と側壁との接合部分）から水が浸入して、筐体内の回路基板が被水する虞がある。また、コネクタ差し込み部は、筐体から突出しているため、そのままの状態では被水し易い状態となる。
【０００６】
そこで、本発明は、上記の問題に鑑みてなされたものであり、その目的は、筐体内の回路基板やコネクタ差し込み部が被水するのを効果的に抑えることが可能な回路ユニット、及び、当該回路ユニットを構成するカバーを提供することにある。
【課題を解決するための手段】
【０００７】
前記課題は、本発明の回路ユニットによれば、回路基板を取り囲む外周壁と、該外周壁の開口端を塞ぐように前記外周壁に接合された側壁と、を有する筐体と、該筐体内の前記回路基板がなす回路に接続されるコネクタを差し込むために前記筐体から突出して設けられたコネクタ差し込み部と、前記筐体及び前記コネクタ差し込み部を覆うカバーと、を備え、該カバーは、前記筐体における前記外周壁と前記側壁との接合部分及び前記コネクタ差し込み部が前記カバーの下に潜り込んだ状態で前記筐体及び前記コネクタ差し込み部を上方から覆うことにより解決される。
【０００８】
本発明の回路ユニットは、カバーを備えている。カバーは、筐体における外周壁と側壁との接合部分及びコネクタ差し込み部がカバーの下に潜り込んだ状態で、筐体及びコネクタ差し込み部を上方から覆う。これにより、筐体内の回路基板やコネクタ差し込み部が被水するのを効果的に抑えることが可能となる。
【０００９】
また、上記の構成において、前記カバーは、前記側壁の脇に位置して前記側壁と対向する側壁対向部を有し、該側壁対向部と前記側壁とが互いに離れた状態で前記筐体を覆うとよい。
上記の構成であれば、カバーの側壁対向部と筐体の側壁とが互いに離れているため、カバーに掛かった水が側壁対向部に沿って流れ落ちる際に、その水が側壁に触れるのを回避することが可能となる。
【００１０】
また、上記の構成において、前記筐体は、前記側壁とは反対側に位置する固定壁を有し、該固定壁に取り付けられた取付部材を介して車体に取り付けられており、前記カバーは、前記筐体及び前記コネクタ差し込み部を覆った状態で前記取付部材に支持されているとよい。
上記の構成であれば、筐体を車体に取り付けるための部材（取付部材）を利用して、カバーを適切に支持することが可能となる。
【００１１】
また、上記の構成において、前記取付部材は、前記固定壁に対して交差する方向に突出して設けられた突出部を有し、前記筐体は、前記突出部が車体に締結されることで車体に取り付けられ、前記カバーは、前記突出部に向かって延出した延出部を有し、該延出部が前記突出部に係合することで前記突出部に支持されているとよい。
上記の構成であれば、取付部材に設けられた突出部にカバーの延出部を係合させることにより、カバーを取付部材によって適切に支持することが可能となる。
【００１２】
また、上記の構成において、前記延出部の先端部分には切り欠きが形成されており、前記カバーは、前記突出部が前記切り欠き内に入り込んで前記延出部が前記突出部に係合することで前記突出部に支持されているとよい。
上記の構成であれば、取付部材の突出部をカバーの延出部に形成された切り欠き内に入り込ませることで、延出部を突出部に適切に係合させることが可能となる。
【００１３】
また、上記の構成において、前記カバーのうち、前記コネクタ差し込み部を覆う部分は、前記コネクタ差し込み部の上端よりも上方に位置し、かつ、前記コネクタ差し込み部の突出方向に沿って前記コネクタ差し込み部の先端位置を越えるように延びているとよい。
上記の構成であれば、カバーのうち、コネクタ差し込み部を覆う部分が、コネクタ差し込み部の上端よりも上方に位置するため、コネクタ差し込み部にコネクタを差し込む際にカバーが妨げになるのを回避することが可能となる。また、カバーのうち、コネクタ差し込み部を覆う部分は、コネクタ差し込み部の突出方向に沿って当該コネクタ差し込み部の先端位置を越えるように延びているため、コネクタ差し込み部を適切に覆うことが可能である。
【００１４】
また、上記の構成において、前記カバーが前記筐体を覆った状態では、前記筐体の横幅方向において、前記筐体の両端が前記カバーの両端の間に配置されているとよい。
上記の構成であれば、筐体の横幅において、筐体の両端がカバーの両端の間に配置されているので、カバーが筐体全体を適切に覆うことが可能となる。
【００１５】
また、前述の課題は、本発明のカバーによれば、回路基板を取り囲む外周壁と、該外周壁の開口端を塞ぐように前記外周壁に接合された側壁と、を有する筐体、及び、該筐体内の前記回路基板がなす回路に接続されるコネクタを差し込むために前記筐体から突出して設けられたコネクタ差し込み部とともに回路ユニットを構成するカバーであって、前記筐体における前記外周壁と前記側壁との接合部分及び前記コネクタ差し込み部が前記カバーの下に潜り込んだ状態で前記筐体及び前記コネクタ差し込み部を上方から覆うことにより解決される。
本発明のカバーであれば、筐体内の回路基板やコネクタ差し込み部が被水するのを効果的に抑えることが可能となる。
【発明の効果】
【００１６】
本発明によれば、筐体内の回路基板やコネクタ差し込み部が被水するのを効果的に抑えることが可能となる。
【図面の簡単な説明】
【００１７】
【図１】本発明の一実施形態に係る回路ユニット及びその周辺機器を示す斜視図である。
【図２】本発明の一実施形態に係る回路ユニット及びその周辺機器の正面図である。
【図３】筐体及びコネクタ差し込み部の正面図である。
【図４】筐体及びコネクタ差し込み部の上面図である。
【図５】筐体及びコネクタ差し込み部の各々の一方の側面を示す図である。
【図６】筐体及びコネクタ差し込み部の各々の他方の側面を示す図である。
【図７】カバーの斜視図である。
【図８】カバーによって覆われた筐体及びコネクタ差し込み部の各々の一方の側面を示す図である。
【図９】カバーによって覆われた筐体及びコネクタ差し込み部の各々の他方の側面を示す図である。
【図１０】カバーによって覆われた筐体及びコネクタ差し込み部の正面図である。
【図１１】図８のＡ−Ａ断面を示す図である。
【図１２】図９のＢ−Ｂ断面を示す図である。
【発明を実施するための形態】
【００１８】
＜＜本発明の一実施形態に係る回路ユニットについて＞＞
以下、本発明の一実施形態（本実施形態）に係る回路ユニットについて、図面を参照しながら説明する。なお、下記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００１９】
本実施形態では、車両内（車室）に搭載される回路ユニットの構成例について説明することとする。ただし、本発明の回路ユニットは、車両以外の乗物（具体的には、内部に乗員が乗り込む空間が設けられている乗物）にも搭載可能であり、乗物以外の建物や構造物にも設置可能である。
【００２０】
また、以下において回路ユニットの各構成部品の位置や姿勢を説明する際には、特に断る場合を除き、回路ユニットが車体の所定位置に取り付けられた状態を想定して説明することとする。
なお、以下の説明中、「前後方向」とは、車体に取り付けられた状態の回路ユニットから見た前後方向であり、車両の走行方向と一致する方向である。また、「左右方向」とは、車体に取り付けられた状態の回路ユニットから見た左右方向であり、車両の横幅方向と一致する方向である。なお、左右方向は、後述する筐体１０の横幅方向に相当する。
【００２１】
＜回路ユニットの概略構成＞
先ず、本実施形態に係る回路ユニット（以下、回路ユニット１）の概略構成について、図１及び図２を参照しながら説明する。
回路ユニット１は、回路ユニット１が取り付けられた車両の状態（走行状態）を制御するものであり、本実施形態では、車両に搭載された不図示のターボチャージャの吸気弁を制御する。回路ユニット１は、車体の所定位置に固定されており、例えば、車体フロアの下方に設けられた収容空間内に収容された状態で当該空間の内壁面に固定されている。
【００２２】
また、図１及び図２に示すように、回路ユニット１は、他の回路ユニットＸと横並びの状態で車体に固定されている。より詳しく説明すると、回路ユニット１は、他の回路ユニットＸの下端部の脇位置に配置されている。また、他の回路ユニットＸの下面には、他の回路ユニットＸを車体に固定するための固定ブラケットＸａが取り付けられており、回路ユニット１は、固定ブラケットＸａを交わして車体に固定されている。
ここで、他の回路ユニットＸは、車載ＥＣＵ（Ｅｌｅｃｔｒｏｎｉｃ Ｃｏｎｔｒｏｌ Ｕｎｉｔ）を構成するものである。なお、図１及び図２には、他の回路ユニットＸを構成する機器のうち、筐体Ｘｂ及び固定ブラケットＸａが図示されている。
【００２３】
回路ユニット１は、制御回路（回路に相当）及びその付属機器によって構成されている。より具体的に説明すると、回路ユニット１は、図１及び図２に示すように、筐体１０、コネクタ差し込み部２０、取付部材２２及びカバー３０を備える。筐体１０は、制御回路をなす回路基板２（回路基板２については後述する）を収容する中空状の箱型ケースである。コネクタ差し込み部２０は、不図示のコネクタを差し込むために筐体１０から突出して設けられた略角筒型のパーツ（接栓座）である。コネクタとは、筐体１０内の回路基板２がなす制御回路に接続され、具体的には、制御回路のシリアルポートを構成するピン孔が形成された接栓である。コネクタ差し込み部２０の内側には、コネクタのピン孔に挿入されるピン３（端子）が規則的に並んだ状態で配置されている。
【００２４】
取付部材２２は、筐体１０を車体に取り付けるための部材であり、図２に示すように、取付ブラケット２３、取付ネジ２４及び回り止め突起２５を備える。取付ブラケット２３は、筐体１０に固定されており、また、取付ブラケット２３の一部分が取付ネジ２４の台座をなしている。取付ネジ２４は、突出部に相当し、取付ブラケット２３が固定された筐体１０（具体的には、後述する筐体１０の固定壁１０ｃ）に対して交差する方向、分かり易くは左右方向に沿って車体側に突出して設けられている。回り止め突起２５は、取付ブラケット２３において取付ネジ２４の下方位置から取付ネジ２４と同じ方向に突出した略円錐台状の突起である。この回り止め突起２５は、取付ネジ２４にて取付部材２２を車体に固定する際に車体に対して当接し、取付部材２２を含む回路ユニット１全体が回転するのを規制する。
【００２５】
カバー３０は、図１及び図２に示すように、筐体１０及びコネクタ差し込み部２０の上方に配置され、筐体１０及びコネクタ差し込み部２０を上方から覆う部材である。カバー３０の構造等については、後に詳しく説明することとする。
【００２６】
以下、回路ユニット１の各構成機器、具体的には筐体１０、コネクタ差し込み部２０、取付部材２２及びカバー３０のそれぞれについて、図３乃至図１２を参照しながら詳しく説明する。筐体１０は、図３〜図６に図示の外観を呈した中空体であり、図１１に示すように、制御回路をなす回路基板２を収容する。
【００２７】
筐体１０は、有底箱型の筐体本体１１に対して、筐体本体１１の開口端を閉じるように蓋状の閉塞体１２を組み付けることで構成されている。筐体本体１１の底部は、矩形状であり、筐体１０の底壁である固定壁１０ｃをなしている。筐体本体１１の底部の各辺から立ち上がった部分は、矩形状の枠を形成しており、筐体１０の外周壁１０ａをなしている。この外周壁１０ａは、図１１に示すように、筐体１０内に収容された回路基板２を取り囲んでいる。
【００２８】
閉塞体１２は、筐体１０の側壁１０ｂをなしており、外周壁１０ａの開口端（固定壁１０ｃとは反対側に位置する端）を塞ぐように外周壁１０ａに接合されている。より具体的に説明すると、外周壁１０ａの開口端には、略方形の開口が設けられており、閉塞体１２の外縁は、当該開口と略同じサイズの方形をなしている。そして、上記の開口に閉塞体１２が嵌まり込むことで閉塞体１２が筐体本体１１に組み付けられている。これにより、閉塞体１２がなす側壁１０ｂが外周壁１０ａの開口端を塞いだ状態で当該外周壁１０ａに接合されている。
【００２９】
なお、左右方向における筐体１０の一端部であって、閉塞体１２が嵌まり込んでいる側にある一端部（つまり、側壁１０ｂによって開口端が塞がれている方の端部）は、筐体１０における外周壁１０ａと側壁１０ｂとの接合部分１０ｄに相当する。なお、接合部分１０ｄでは、通常、外周壁１０ａと側壁１０ｂとの間に僅かな隙間が形成されている。
【００３０】
また、筐体１０内において、回路基板２は、図１２に示すように、側壁１０ｂ（すなわち、閉塞体１２）に沿って配置されており、側壁１０ｂの内壁面に固定されている。
【００３１】
筐体１０の固定壁１０ｃは、側壁１０ｂとは反対側に位置している。筐体１０は、固定壁１０ｃが車体における回路ユニット１の取り付け箇所と対向した状態で車体に取り付けられている。具体的に説明すると、固定壁１０ｃには、前述の取付部材２２が取り付けられている。そして、筐体１０は、固定壁１０ｃに取り付けられた取付部材２２を介して車体に固定されており、詳しくは、取付部材２２の取付ネジ２４が車体に締結されることで車体に取り付けられている。
なお、本実施形態において、筐体１０は、図６に示すように、筐体１０の前端（コネクタ差し込み部２０が設けられている側の端）が後端よりも若干下がった状態で車体に取り付けられている。
【００３２】
次に、コネクタ差し込み部２０について説明すると、コネクタ差し込み部２０は、図３及び図１１に示すように、外周壁１０ａの一部分（具体的には、筐体１０の前端部に相当する部分）には、前述のコネクタ差し込み部２０が突出して設けられている。コネクタ差し込み部２０は、前方に突出しており、その内部には、ピン３が配置されている。ピン３は、図１１に示すように、回路基板２から延出したターミナル４を介して、回路基板２がなす制御回路と電気的につながっている。
なお、本実施形態において、コネクタ差し込み部２０は、筐体１０とは別部材によって構成されている。ただし、これに限定されるものではなく、筐体１０の一部分によってコネクタ差し込み部２０が構成されていてもよい。
【００３３】
また、図３から分かるように、コネクタ差し込み部２０の上端及び下端は、筐体１０の上端及び下端の間に位置しており、図４から分かるように、左右方向におけるコネクタ差し込み部２０の両端は、左右方向における筐体１０の両端の間に位置している。
【００３４】
次に、取付部材２２について説明すると、取付部材２２の取付ブラケット２３は、筐体１０の固定壁１０ｃに取り付けられている。取付ブラケット２３は、プレート材からなり、複数折れ曲がった状態で成形されている。より詳しく説明すると、取付ブラケット２３のうち、最も前側に位置する部分は、図５に示すように、上下方向に円弧状に延びており、筐体１０の固定壁１０ｃに固定されている。取付ブラケット２３は、図４及び図１１に示すように、固定壁１０ｃに固定された部分の直ぐ後ろで筐体１０から離れる向きに折れ曲がっている。その後、取付ブラケット２３は、後方に向かうように再度折れ曲がり、さらに、前後方向において筐体１０の後端位置と略同じ位置で筐体１０に近付く向きに折り返されている。取付ブラケット２３のうち、筐体１０に近付く向きに折り返されている部分は、取付ブラケット２３の後端部をなしており、その末端部分は、図４に示すように、筐体１０の後端面の後方に至り、当該後端面に固定されている。
【００３５】
取付ブラケット２３のうち、筐体１０から浮き上がった部分（筐体１０から最も遠ざかった部分）は、図４に示すように、前後方向に沿って真っ直ぐ延出し、取付ネジ２４の台座をなしている。そして、取付ネジ２４は、取付ブラケット２３中の台座部分を左右方向（筐体１０の固定壁１０ｃに対して交差する方向）に貫通しており、車体の所定位置に締結されている。これにより、筐体１０が取付部材２２を介して車体に取り付けられている。
なお、本実施形態において、取付部材２２は、筐体１０とは別部材によって構成されている。ただし、これに限定されるものではなく、取付ブラケット２３に相当する部分が、筐体１０の一部分を延出させることで構成されていてもよい。
【００３６】
取付部材２２の取付ネジ２４は、ネジ体であり、その軸部は、前述したように、取付ブラケット２３中の台座部分を左右方向に沿って貫通している。また、取付ネジ２４の軸部は、車体に設けられた不図示のネジ孔に螺合している。これにより、取付ネジ２４が車体に締結されている。
なお、本実施形態では、ネジ体によって筐体１０を車体に固定しているが、これに限定されるものではなく、例えば、筐体１０側（厳密には、取付部材２２）に凸部を設け、車体側に凹部を設け、凸部及び凹部の嵌合によって筐体１０が車体に固定される構成であってもよい。
【００３７】
次に、カバー３０について説明すると、カバー３０は、筐体１０、コネクタ差し込み部２０及び取付部材２２と共に回路ユニット１を構成する機器であり、図７に図示の外形形状をなしている。カバー３０は、同図に示すように、カバー本体３１と、カバー本体３１の側端（左右方向における一端）から延出した延出部３２と、を有する。
【００３８】
カバー本体３１は、図７に示すように、一方の側端が開口端となった有底ケースである。より詳しく説明すると、カバー本体３１は、図７〜図１２に示すように、カバー上方部３３、カバー側方部３４、カバー前方部３５及びカバー後方部３６を有する。カバー上方部３３は、カバー本体３１の天井部をなし、上方から見て略矩形形状となっている。
【００３９】
カバー側方部３４は、カバー本体３１の左右方向一端において、カバー本体３１の前端から後端に亘って設けられている。カバー側方部３４は、図９に示すように、側面視で、サイズの異なる２つの長方形を前後に連ねた段形状をなしている。カバー側方部３４のうち、よりサイズが大きい長方形をなす部分は、カバー上方部３３の左右方向一端から垂下している。カバー側方部３４のうち、よりサイズが小さい長方形をなす部分は、カバー側方部３４の前端部に相当し、カバー前方部３５の左右方向一端から垂下している。
なお、カバー側方部３４の下端位置は、カバー本体３１の下端位置に相当する。
【００４０】
また、カバー側方部３４は、図１２に示すように、カバー３０が筐体１０を覆った状態では筐体１０の側壁１０ｂの脇に位置して側壁１０ｂと対向している。かかる点で、カバー側方部３４は、側壁対向部に相当する。
【００４１】
カバー前方部３５は、カバー上方部３３の前端から垂下した後、図８に示すように前方に向かって略Ｌ字状に曲げられている。カバー前方部３５のうち、前方に向かって延出した部分は、カバー本体３１の下端よりも幾分上方に位置している。
カバー後方部３６は、カバー上方部３３の後端から垂下し、カバー本体３１の下端位置（換言すると、カバー側方部３４の下端位置）に達するまで延びている。
【００４２】
延出部３２は、図７に示すように、カバー後方部３６の、カバー側方部３４が位置する側とは反対側の端から左右方向に沿って延びた後、前方に向かって略Ｌ字状に曲がっている。延出部３２のうち、左右方向に沿って延びている部分の中途位置には、図７や図１１に示すように、前方に窪むことで形成された凹部３２ａが設けられている。この凹部３２ａは、カバー３０が筐体１０を覆った状態では、図１１に示すように筐体１０の固定壁１０ｃに取り付けられた取付部材２２（厳密には、取付ブラケット２３の後端部）に当接している。
【００４３】
また、延出部３２のうち、前方に向かって延びた部分は、カバー３０が筐体１０を覆った状態では、図８及び図１１に示すように取付部材２２の取付ネジ２４に向かって延出している。また、延出部３２の先端部分、詳しくは、取付ネジ２４側にある自由端部には、図７に示すように略半円状の切り欠き３２ｂが形成されている。
【００４４】
以上のように構成されたカバー３０は、図８に示すように、筐体１０及びコネクタ差し込み部２０の上方において、カバー本体３１が筐体１０及びコネクタ差し込み部２０の双方に覆い被さるように配置されている。そして、カバー３０は、車体内部において上記の位置にて支持されている。
【００４５】
カバー３０の支持構造について説明すると、本実施形態において、カバー３０は、筐体１０及びコネクタ差し込み部２０を覆った状態で取付部材２２に支持されている。具体的に説明すると、カバー３０は、前述の延出部３２が取付部材２２の取付ネジ２４に係合することで取付ネジ２４に支持されている。
【００４６】
より詳しく説明すると、取付部材２２の取付ネジ２４によって筐体１０を車体に取り付けた後、カバー本体３１が筐体１０及びコネクタ差し込み部２０の双方に覆い被さるようにカバー３０を筐体１０及びコネクタ差し込み部２０の上方に配置する。その後、図８に示すように、カバー３０の延出部３２の先端部に形成された切り欠き３２ｂ内に、取付ネジ２４の軸部（厳密には、軸部のうち、車体と取付ブラケット２３との間に位置する部分）を入れ込む。このように取付ネジ２４の軸部が切り欠き３２ｂ内に入り込むことにより、延出部３２が取付ネジ２４に係合するようになる。この結果、カバー３０は、取付ネジ２４によって支持されるようになる。
【００４７】
以上の構成であれば、筐体１０を取付部材２２によって車体に固定した後に、カバー３０を所定位置（具体的には、取付ネジ２４の軸部が切り欠き３２ｂ内に入り込む位置）に配置することで、カバー３０を取付ネジ２４によって支持することができる。さらに、取付ネジ２４の軸部を切り欠き３２ｂから抜くことにより、カバー３０を取り外すことが可能である。すなわち、本実施形態において、カバー３０は、着脱可能な状態で取付ネジ２４に支持されている。
【００４８】
なお、カバー３０が取付ネジ２４によって支持された状態において、延出部３２中、左右方向に沿って延びている部分、特に凹部３２ａが形成された箇所が車体に当接している。これにより、カバー３０が取付ネジ２４によって支持された状態が安定的に保持され、また、カバー３０が取付ネジ２４周りに回転してしまうのを抑制することが可能となる。
【００４９】
以上のようにカバー３０が取付ネジ２４によって支持された状態では、カバー３０が、筐体１０における接合部分１０ｄ及びコネクタ差し込み部２０の上方に位置し、これらを上方から覆っている。このとき、接合部分１０ｄ及びコネクタ差し込み部２０は、図８〜図１２に示すように、カバー本体３１の下に完全に潜り込んだ状態で覆われている。
【００５０】
より具体的に説明すると、図１１及び図１２から分かるように、カバー３０が取付ネジ２４によって支持された状態では、左右方向において、筐体１０の両端がカバー本体３１のカバー上方部３３の両端の間に配置されている。また、図９及び図１１から分かるように、筐体１０の前端及び後端は、カバー本体３１のカバー前方部３５及びカバー後方部３６との間に配置されている。このようにカバー３０が取付ネジ２４によって支持された状態では、接合部分１０ｄを含む筐体１０の全体がカバー本体３１の下に潜り込んでいる。これにより、筐体１０の上方から水が落ちてきたとしても、筐体１０が被水するのをカバー３０によって効果的に抑えることができる。この結果、接合部分１０ｄから筐体１０内に水が浸入して回路基板２が濡れてしまう事態を回避することが可能となる。
【００５１】
また、カバー３０が取付ネジ２４によって支持された状態では、図１０〜図１２から分かるように、左右方向においてカバー側方部３４が筐体１０の側壁１０ｂ（すなわち、閉塞体１２）の脇に位置して側壁１０ｂと対向している。より厳密に説明すると、カバー側方部３４は、筐体１０の側壁１０ｂから離れた位置で垂下している。つまり、カバー３０は、カバー側方部３４と筐体１０の側壁１０ｂとが互いに離れた状態（換言すると、カバー側方部３４と側壁１０ｂとの間に隙間が空いた状態）で筐体１０を覆うことになる。このような構成であれば、筐体１０の上方から落ちてきた水がカバー本体３１のカバー上方部３３に当たったとき、その水がカバー側方部３４を伝って落下するようになる。これにより、カバー上方部３３から落下する水が筐体１０の側壁１０ｂに触れるのを抑えることが可能となる。
【００５２】
なお、本実施形態では、筐体１０のうち、左右方向において接合部分１０ｄ側に位置する端部、つまり、筐体本体１１の開口端に閉塞体１２が組み付けられている側の端部と対向するようにカバー側方部３４が配置されている。ここで、筐体１０において接合部分１０ｄ側に位置する端部には、前述したように、通常、隙間が形成されている。つまり、本実施形態では、筐体１０において隙間が設けられている側の端部と対向するようにカバー側方部３４が配置されているため、上述したカバー側方部３４の効果（すなわち、カバー上方部３３から落下する水が筐体１０の側壁１０ｂに触れるのを抑える効果）が、より有意義なものとなる。
【００５３】
また、図９〜図１１から分かるように、カバー本体３１の前端部分（具体的には、カバー上方部３３の前端部及びカバー前方部３５）は、コネクタ差し込み部２０を覆う部分である。より詳しく説明すると、カバー３０が取付ネジ２４によって支持された状態において、カバー本体３１のカバー前方部３５のうち、前方に向かって延出した部分は、図９に示すように、コネクタ差し込み部２０の突出方向に沿ってコネクタ差し込み部２０の先端位置（前端位置）を越えるように延びている。また、カバー前方部３５は、図１０に示すようにコネクタ差し込み部２０の上端よりも上方に位置している。
【００５４】
以上のようにカバー３０が取付ネジ２４によって支持された状態では、カバー本体３１がコネクタ差し込み部２０の上方に位置しており、コネクタ差し込み部２０の全体がカバー本体３１の前端部分の下に潜り込んでいる。これにより、コネクタ差し込み部２０の上方から水が落ちてきたとしても、コネクタ差し込み部２０が被水するのをカバー３０（厳密には、カバー本体３１の前端部分）によって効果的に抑えることが可能となる。また、カバー本体３１の前端部分がコネクタ差し込み部２０の上端よりも上方に位置しているため、コネクタ差し込み部２０にコネクタを差し込む際に、カバー３０によって干渉されずにスムーズにコネクタを差し込むことが可能である。
【００５５】
また、カバー３０が取付ネジ２４によって支持された状態では、図１０及び図１１から分かるように、左右方向において、カバー側方部３４の前端部がコネクタ差し込み部２０の脇に位置してコネクタ差し込み部２０と対向している。より厳密に説明すると、カバー側方部３４の前端部は、コネクタ差し込み部２０から離れた位置で垂下している。つまり、カバー３０は、カバー側方部３４の前端部とコネクタ差し込み部２０とが互いに離れた状態（換言すると、カバー側方部３４の前端部とカバー３０との間に隙間が空いた状態）で筐体１０を覆うことになる。このような構成であれば、コネクタ差し込み部２０の上方から落ちてきた水がカバー３０のカバー前方部３５に当たったとき、その水がカバー側方部３４を伝って落下するようになる。これにより、カバー前方部３５から落下する水がコネクタ差し込み部２０に触れるのを、効果的に抑えることが可能となる。
【符号の説明】
【００５６】
１  回路ユニット
２  回路基板
３  ピン
４  ターミナル
１０  筐体
１０ａ  外周壁
１０ｂ  側壁
１０ｃ  固定壁
１０ｄ  接合部分
１１  筐体本体
１２  閉塞体
２０  コネクタ差し込み部
２２  取付部材
２３  取付ブラケット
２４  取付ネジ
２５  回り止め突起
３０  カバー
３１  カバー本体
３２  延出部
３２ａ  凹部
３２ｂ  切り欠き
３３  カバー上方部
３４  カバー側方部（側壁対向部）
３５  カバー前方部
３６  カバー後方部
Ｘ  他の回路ユニット
Ｘａ  固定ブラケット
Ｘｂ  筐体
【図１】
2019087380.tif 000003
【図２】
2019087380.tif 000004
【図３】
2019087380.tif 000005
【図４】
2019087380.tif 000006
【図５】
2019087380.tif 000007
【図６】
2019087380.tif 000008
【図７】
2019087380.tif 000009
【図８】
2019087380.tif 000010
【図９】
2019087380.tif 000011
【図１０】
2019087380.tif 000012
【図１１】
2019087380.tif 000013
【図１２】
2019087380.tif 000014